(57)【特許請求の範囲】
【請求項１】
電動工具用電池パックをスライドさせて装着する電気機器であって、
板形の形状であり、前記電動工具用電池パックの雌端子と電気的に接続される雄端子と、を備え、
前記雄端子の側面は、
前記板形の板厚方向に向かって段差を有し、前記スライドさせている際に前記雌端子が摺接される段差設定部と、
前記スライドが完了した状態において、前記雌端子と当接して電気的に接続される平面接続部と、を有する電気機器。
【請求項２】
電動工具用電池パックが装着される電気機器であって、
前記電動工具用電池パックと前記電気機器とは、該電気機器に対して該電動工具用電池パックを相対的にスライドさせることにより該電動工具用電池パックに設けられる雌端子が該電気機器に設けられる雄端子に電気的に接続させるように構成されており、
前記雌端子は、前記雄端子が内部に前記スライド方向で挿し込まれる挟込形に設定され、且つ、該内部に挿し込まれた該雄端子に弾性を有しながら当接するように設定されており、
前記雄端子は、前記スライド方向に延びて前記雌端子が摺接される側面を有する板形に設定されており、
前記雄端子の前記側面には、前記板形の板厚方向に向かって段差を設定する段差設定部が設けられており、
前記段差設定部は、前記スライドさせている際に前記雌端子が摺接される範囲を含むように設定されており、
前記雄端子の前記側面には、前記スライドが完了した後の前記雌端子が当接されて電気的に接続される平面接続部が設定されている、電気機器。
【請求項３】
請求項１または請求項２に記載の電気機器において、
前記雄端子の前記側面は、前記雄端子の両側面で設定されている、電気機器。
【請求項４】
請求項１から請求項３のいずれかに記載の電気機器において、
前記雄端子の形式で設定される端子には、前記電動工具用電池パックとの間で信号を送受するための信号端子があり、
前記段差設定部は、前記信号端子を除いた前記雄端子の少なくとも１つに設定されている、電気機器。
【請求項５】
請求項１から請求項４のいずれかに記載の電気機器において、
前記段差設定部は、前記平面接続部よりも板厚が陥没される凹形の形状により前記段差を設定する、電気機器。
【請求項６】
請求項１から請求項４のいずれかに記載の電気機器において、
前記段差設定部は、前記平面接続部よりも板厚が突出される凸形の形状により前記段差を設定する、電気機器。
【請求項７】
請求項１から請求項６のいずれかに記載の電気機器において、
前記段差設定部による前記段差は、前記スライド方向と交差する方向に延びる線条形状を有する、電気機器。
【請求項８】
請求項７に記載の電気機器において、
前記線条形状は、前記スライド方向と直交する方向にも交差する、電気機器。
【請求項９】
請求項１から請求項８のいずれかに記載の電気機器において、
前記雌端子の接点は、前記スライド方向で間隔を置いて複数設定されており、
前記平面接続部は、前記雌端子の前記接点に対応して、前記スライド方向で間隔を置いて複数設定されている、電気機器。
【請求項１０】
請求項１から請求項９のいずれかに記載の電気機器において、
前記雌端子と前記雄端子とは、電源の正負に対応して対をなして設けられており、
対をなす前記雄端子における前記段差設定部と前記雌端子の接点とは、前記スライドの際に同時に摺接されるように設定されている、電気機器。
【請求項１１】
請求項１から請求項１０のいずれかに記載の電気機器において、
前記電気機器は、電動工具である、電気機器。
【請求項１２】
請求項１から請求項１０のいずれかに記載の電気機器において、
前記電気機器は、電動作業機である、電気機器。
【請求項１３】
請求項１から請求項１０のいずれかに記載の電気機器において、
前記電気機器は、充電器である、電気機器。
【請求項１４】
請求項１から請求項１０のいずれかに記載の電気機器において、
前記電気機器は、前記電動工具用電池パックを他の機器に装着させるにあたって該他の機器との間に介在されるアダプタである、電気機器。
【発明の詳細な説明】
【技術分野】
【０００１】
本発明は、雌端子に対してスライドさせることにより電気的に接続される雄端子を有する電気機器に関する。
【背景技術】
【０００２】
近年の電動工具にあっては、電動工具の電源として、電池パックとも称される電動工具用電池パックが利用されている。このような電池パックは、充電量が少なくなると工具本体からスライドさせて取り外されて専用充電器にて充電され、専用充電器にて充電された後には再び工具本体にスライドさせて装着される。なお、このような電池パックは、電動工具の電源として利用されるにあたり、専用のアダプタを介して利用されることがある。以下、このような電池パックが装着される工具本体、専用充電器、アダプタについて、総じて『電気機器』と称する。
【０００３】
電気機器に対する電池パックの電気的接続は、電池パックに設けられる雌端子に電気機器に設けられる雄端子が差し込まれることによる。すなわち、電池パックに設けられる雌端子は金属端子が対向配置されて設定される。この雌端子には、金属端子同士の間に雄端子が差し込まれ、互いは電気的に接続された状態となる。これに対して、電気機器に設けられる雄端子は、このような雌端子に挟み込ませることが可能な板形をなして設定される。つまり、雄端子の板形は、雌端子に差し込むことが可能にスライド方向に延びている。雌端子の対向配置される金属端子同士は、雄端子に対して弾性復元力により挟み込んで当接する。この当接により雄端子と雌端子とは電気的に接続された通電可能状態となる。
【先行技術文献】
【特許文献】
【０００４】
【特許文献１】特開２０１３−４２６７２号公報
【特許文献２】特開２０１３−２３０５５３号公報
【発明の概要】
【発明が解決しようとする課題】
【０００５】
ところで、上記した雌端子および雄端子の表面には、通電によって酸化膜が生成されてしまうことがある。このような酸化膜は、雌端子と雄端子との間の通電を遮る要素となりかねない。このため、生成された酸化膜に関しては、なるべく除去しておきたい。しかしながら、このような酸化膜の除去をユーザが個別で行うこととなると、ユーザの工具管理負担が増えてしまうものとなり、ユーザにとって面倒なものとなってしまう。
【０００６】
本発明は、このような事情に鑑みなされたものであって、本発明が解決しようとする課題は、雌端子に対してスライドさせることにより電気的に接続される雄端子を有する電気機器（電動工具、電動作業機、充電器、アダプタ）において、ユーザの工具管理負担を増やすことなく、雄端子の表面に生成される酸化膜を除去できるようにすることにある。
【課題を解決するための手段】
【０００７】
上記した課題を解決するにあたって、本発明に係る電気機器は次の手段をとる。すなわち、本発明の第１の発明に係る電気機器は、電動工具用電池パックが装着される電気機器であって、前記電動工具用電池パックと前記電気機器とは、該電気機器に対して該電動工具用電池パックを相対的にスライドさせることにより該電動工具用電池パックに設けられる雌端子が該電気機器に設けられる雄端子に電気的に接続されるように構成されており、前記雌端子は、前記雄端子が内部に前記スライド方向で挿し込まれる挟込形に設定され、且つ、該内部に挿し込まれた該雄端子に弾性を有しながら当接するように設定されており、前記雄端子は、前記スライド方向に延びて前記雌端子が摺接される側面を有する板形に設定されており、前記雄端子の前記側面には、前記板形の板厚方向に向かって段差を設定する段差設定部が設けられており、前記段差設定部は、前記スライドさせている際に前記雌端子が摺接される範囲を含むように設定されている、という構成である。
【０００８】
この第１の発明に係る電気機器によれば、雄端子の側面には、段差設定部により板形の板厚方向に向かって段差が設定されている。ここで、この段差は、スライドさせている際に雌端子が摺接される範囲を含むように設定されているので、段差の凹凸により端子の表面に生成される酸化膜を削り取るように除去することができる。これによって、この第１の発明に係る電気機器によれば、ユーザの工具管理負担を増やすことなく、雄端子の表面に生成される酸化膜を除去することができる。したがって、雌端子と雄端子との電気的接続を良好に保つのに有利となる。
【０００９】
また、第２の発明に係る電気機器は、前記第１の発明に係る電気機器において、前記雄端子の前記側面は、前記雄端子の両側面で設定されている、という構成である。この第２の発明に係る電気機器によれば、雄端子の側面は雄端子の両側面で設定されているので、雄端子の両側面で上記した雄端子の表面に生成される酸化膜を除去する作用を奏することができる。これによって、雄端子の両側面の電気的接続を良好に保つのに有利となる。
【００１０】
また、第３の発明に係る電気機器は、前記第１または前記第２の発明に係る電気機器において、前記雄端子の形式で設定される端子には、前記電動工具用電池パックとの間で信号を送受するための信号端子があり、前記段差設定部は、前記信号端子を除いた前記雄端子の少なくとも１つに設定されている、という構成である。なお、段差設定部は、電気機器に電動工具用電池パックをスライドさせて着脱させる際の着脱抵抗となり得るものである。また、信号端子は、信号レベルの低い電圧が印加される端子となっている。この信号レベルの低い電圧としては、例えば５Ｖ以下の電圧である。すなわち、信号端子では、例えば３．３Ｖの電圧が印加されて、信号の送受がされるものとなっている。このため、信号端子の表面には、上記した酸化膜が生成され難い。これによって、この第３の発明に係る電気機器によれば、所望箇所の酸化膜を好ましく除去することができながら、着脱抵抗となり得る不要な段差設定部を無くすことができて、電動工具用電池パックの電気機器に対する着脱のし易さを良好にできる。
【００１１】
また、第４の発明に係る電気機器は、前記第１から前記第３のいずれかの発明に係る電気機器において、前記雄端子の前記側面には、前記スライドが完了した後の前記雌端子が当接されて電気的に接続される平面接続部が設定されている、という構成である。なお、このスライドが完了した時点には、例えば『前記電動工具用電池パックと前記電気機器との間に設けられる係止構造により、該電動工具用電池パックと該電気機器との互いの関係が固定された状態』がある。この第４の発明に係る電気機器によれば、平面接続部が設定されているので、スライドが完了した後の雌端子が当接される雄端子には段差が設けられないこととなる。これによって、雌端子の雄端子に対する当接が段差により妨げられないものとなり、雌端子と雄端子との電気的な接触を良好にすることができる。
【００１２】
また、第５の発明に係る電気機器は、前記第４の発明に係る電気機器において、前記段差設定部は、前記平面接続部よりも板厚が陥没される凹形の形状により前記段差を設定する、という構成である。この第５の発明に係る電気機器によれば、段差設定部は平面接続部よりも板厚が陥没される凹形の形状により段差を設定するので、凹形により設定される段差により端子の表面に生成される酸化膜を除去することができる。
【００１３】
また、第６の発明に係る電気機器は、前記第４の発明に係る電気機器において、前記段差設定部は、前記平面接続部よりも板厚が突出される凸形の形状により前記段差を設定する、という構成である。この第６の発明に係る電気機器によれば、段差設定部は平面接続部よりも板厚が突出される凸形の形状により段差を設定するので、凸形により設定される段差により端子の表面に生成される酸化膜を除去することができる。
【００１４】
また、第７の発明に係る電気機器は、前記第４から前記第６のいずれかの発明に係る電気機器において、前記段差設定部による前記段差は、前記スライド方向と交差する方向に延びる線条形状を有する、という構成である。この第７の発明に係る電気機器によれば、段差設定部による段差はスライド方向と交差する方向に延びる線条形状を有するので、この交差する方向に延びる線条形状がスライドする動きを受けて、端子の表面に生成される酸化膜を除去することができる。
【００１５】
また、第８の発明に係る電気機器は、前記第７の発明に係る電気機器において、前記線条形状は、前記スライド方向と直交する方向にも交差する、という構成である。この第８の発明に係る電気機器によれば、線条形状はスライド方向と直交する方向にも交差するので、この交差する方向に延びる線条形状がスライドする動きを受け、凹凸の内部に存する酸化膜の屑をスライド方向と交差する方向に動かしていくことができる。これによって、この線条形状から除去された酸化膜の屑を排出させるように作用させることができる。
【００１６】
また、第９の発明に係る電気機器は、前記第４から前記第８のいずれかの発明に係る電気機器において、前記雌端子の接点は、前記スライド方向で間隔を置いて複数設定されており、前記平面接続部は、前記雌端子の前記接点に対応して、前記スライド方向で間隔を置いて複数設定されている、という構成である。この第９の発明に係る電気機器によれば、雌端子の接点はスライド方向で間隔を置いて複数設定されており、平面接続部は雌端子の接点に対応してスライド方向で間隔を置いて複数設定される。
【００１７】
これによって、雌端子と雄端子との電気的接点をより確実に確保することができて、雌端子と雄端子との互いの電気的な接続を良好にすることができる。なお、雌端子の接点に対応してスライド方向で間隔を置いて設けられる平面接続部は、上記した段差設定部の設定により互いに分断されて設定されるものや、また段差設定部を設定せずに互いに連なって設定されるものの、いずれの設定であってもよい。
【００１８】
また、第１０の発明に係る電気機器は、前記第１から前記第９のいずれかの発明に係る電気機器において、前記雌端子と前記雄端子とは、電源の正負に対応して対をなして設けられており、対をなす前記雄端子における前記段差設定部と前記雌端子の接点とは、前記スライドの際に同時に摺接されるように設定されている、という構成である。この第１０の発明に係る電気機器によれば、雌端子と前記雄端子とは電源の正負に対応して対をなして設けられており、対をなす雄端子における段差設定部と雌端子の接点とは、前記スライドの際に同時に摺接されることとなる。これによって、雌端子の接点が段差部分を越える際の電動工具用電池パックのスライド抵抗を、正負の対の並びでバランス良く受けることができる。したがって、電動工具用電池パックのスライド姿勢を良好に保つことができてスライド時の操作性を高めることができる。
【００１９】
また、第１１の発明に係る電気機器は、前記第１から前記第１０のいずれかの発明に係る電気機器において、前記電気機器は電動工具である、という構成である。この第１１の発明に係る電気機器によれば、電気機器は電動工具であるので、電動工具においてユーザの工具管理負担を増やすことなく端子の表面に生成される酸化膜を除去して、長くに亘って雌端子と雄端子との間の電気的接続を良好に保つことができる。
【００２０】
また、第１２の発明に係る電気機器は、前記第１から前記第１０のいずれかの発明に係る電気機器において、前記電気機器は電動作業機である、という構成である。この第１２の発明に係る電気機器によれば、電気機器は電動作業機であるので、電動作業機においてユーザの工具管理負担を増やすことなく端子の表面に生成される酸化膜を除去して、長くに亘って雌端子と雄端子との間の電気的接続を良好に保つことができる。
【００２１】
また、第１３の発明に係る電気機器は、前記第１から前記第１０のいずれかの発明に係る電気機器において、前記電気機器は充電器である、という構成である。この第１３の発明に係る電気機器によれば、電気機器は充電器であるので、充電器においてユーザの工具管理負担を増やすことなく端子の表面に生成される酸化膜を除去して、長くに亘って雌端子と雄端子との間の電気的接続を良好に保つことができる。
【００２２】
また、第１４の発明に係る電気機器は、前記第１から前記第１０のいずれかの発明に係る電気機器において、前記電気機器は、前記電動工具用電池パックを他の機器に装着させるにあたって該他の機器との間に介在されるアダプタである、という構成である。この第１４の発明に係る電気機器によれば、電気機器はアダプタであるので、アダプタにおいてユーザの工具管理負担を増やすことなく端子の表面に生成される酸化膜を除去して、長くに亘って雌端子と雄端子との間の電気的接続を良好に保つことができる。
【図面の簡単な説明】
【００２３】
【図１】電池パックが取り外された状態のインパクトドライバの斜視外観を示す斜視図である。
【図２】電池パックが装着された状態のインパクトドライバの斜視外観を示す斜視図である。
【図３】図１における工具本体および電池パックの内部構造を示す斜視図である。
【図４】図２における工具本体および電池パックの内部構造を示す斜視図である。
【図５】図３の内部構造を側面視にて示す側面図である。
【図６】図４の内部構造を側面視にて示す側面図である。
【図７】図６の挿し込み箇所を拡大して示す拡大側面図である。
【図８】雄端子部材および電池パックを斜視にて示す斜視図である。
【図９】雄端子のスライド開始段階を示す平面図である。
【図１０】雄端子のスライド途中段階を示す平面図である。
【図１１】雄端子のスライド完了段階を示す平面図である。
【図１２】雄端子を上面視にて示す拡大上面図である。
【図１３】雄端子を側面視にて示す拡大側面図である。
【図１４】図１２に示す凹凸部を更に拡大して示す拡大上面図である。
【図１５】第２の実施の形態となる雄端子の拡大上面図である。
【図１６】第２の実施の形態となる雄端子の拡大側面図である。
【図１７】第３の実施の形態となる雄端子の拡大上面図である。
【図１８】第３の実施の形態となる雄端子の拡大側面図である。
【図１９】図１７に示す凹凸部を更に拡大して示す拡大上面図である。
【図２０】第４の実施の形態となる雄端子の拡大上面図である。
【図２１】第４の実施の形態となる雄端子の拡大側面図である。
【図２２】図２１における(XXII)-(XXII)断面矢視を拡大して示す拡大断面図である。
【図２３】図２２の変形例として図示する拡大断面図である。
【図２４】充電器を斜視にて示す斜視図である。
【図２５】バッテリアダプタを斜視にて示す斜視図である。
【発明を実施するための形態】
【００２４】
［第１の実施の形態］
以下に、本発明に係る電気機器を実施するための実施の形態について図１〜図１４を参照しながら説明する。なお、図１の斜視図は、電池パック５０が取り外された状態のインパクトドライバ１０の斜視外観を示す。図２の斜視図は、電池パック５０が装着された状態のインパクトドライバ１０の斜視外観を示す。図３の斜視図は、図１における工具本体１１および電池パック５０の内部構造を示す。図４の斜視図は、図２における工具本体１１および電池パック５０の内部構造を示す。図５の側面図は、図３の内部構造を側面視にて示す。図６の側面図は、図４の内部構造を側面視にて示す。先ず、本発明に係る電気機器の第１の実施の形態として、電池パック５０が装着されるインパクトドライバ１０について説明する。
【００２５】
インパクトドライバ１０は本発明に係る電動工具に相当する。インパクトドライバ１０は、電源としての電池パック５０が工具本体１１に装着されて駆動可能となる。つまり、工具本体１１は、本発明に係る電動工具用電池パックが装着される電気機器に相当する。また、電池パック５０は、本発明に係る電動工具用電池パックに相当する。電池パック５０は、インパクトドライバ１０の電源として工具本体１１に着脱可能に装着される。この電池パック５０は、充電量が少なくなると工具本体１１から取り外されて専用充電器にて充電される。専用充電器にて充電が完了された電池パック５０は、インパクトドライバ１０のような電動工具の電源として工具本体１１に装着される。
【００２６】
図１および図２に示すように、工具本体１１は、概略、駆動部１３と、グリップ部１４と、バッテリ装着部２０とを有する。駆動部１３とグリップ部１４とは、連なるハウジング１２１によって両者の外装が形成されている。ハウジング１２１の内部には、工具本体１１をなすための各種の装置が内蔵されている。駆動部１３をなすハウジング１２１の内部には、モータ軸（図示省略）を回転駆動させるブラシレスＤＣモータ１３１が内蔵される。なお、このブラシレスＤＣモータ１３１は、工具本体１１の駆動源であり、図示省略されるモータ軸を回転駆動させる。回転駆動されるモータ軸は、図示省略されるギヤ機構に回転駆動力が伝達される。
【００２７】
モータ軸から回転駆動力が伝達されたギヤ機構は、出力部１３３にて回転出力する。出力部１３３には、図示省略される適宜のビットが取り付けられる。このため、出力部１３３には、ビットを取り付けるための取付けチャック１３５が設けられている。また、ブラシレスＤＣモータ１３１のモータ軸には、冷却ファン１３７が取り付けられている。この冷却ファン１３７は、モータ軸と共に回転することにより外気を吸気し、ブラシレスＤＣモータ１３１を冷却する。ハウジング１２１は、グリップ形状にてグリップ部１４の外装をなしている。つまり、グリップ部１４は、ユーザにより手で握られるためのグリップ形状にて形成される。グリップ部１４の上部には、操作スイッチ１５が設けられている。
【００２８】
操作スイッチ１５は、概略、スイッチ本体１５１と操作トリガ１５３とを有する。スイッチ本体１５１は、グリップ部１４をなすハウジング１２１の内部に内蔵され、操作トリガ１５３からのオン入力を受けて図示省略されるコントローラに入力信号を送る。操作トリガ１５３は、ハウジング１２１の外部に露出され、ユーザによりオン入力となる押し込み操作が可能に設定される。操作トリガ１５３の上側には、切替レバー１５５が設けられている。切替レバー１５５は、出力部１３３が回転する方向を切り替える。ハウジング１２１は、螺子部材１２３によって組付けが固定されている。
【００２９】
ハウジング１２１の下部には、バッテリ装着部２０が設けられている。バッテリ装着部２０には、後に詳述するスライド式の電池パック５０が着脱可能に装着される。なお、電池パック５０のバッテリ装着部２０への装着は、バッテリ装着部２０に対して電池パック５０を前から後ろに相対的にスライドさせることにより、バッテリ装着部２０に電池パック５０が装着される。逆に、バッテリ装着部２０に対して電池パック５０を後ろから前に相対的にスライドさせることにより、バッテリ装着部２０から電池パック５０が取り外される。
【００３０】
バッテリ装着部２０と電池パック５０とは、互いでスライド装着可能となるレール構造２１および雌雄接続構造３０が設けられている。レール構造２１は、バッテリ装着部２０に対して電池パック５０をスライドさせるためガイド構造である。また、雌雄接続構造３０は、電池パック５０と工具本体１１との間に設けられており、バッテリ装着部２０に対して電池パック５０をスライドさせて互いを電気的に接続する。
【００３１】
バッテリ装着部２０には、図３に示すように雌形のレール構造２１となる雌形レール２３が設けられている。また、電池パック５０には、図１に示すように雄形のレール構造２１となる雄形レール２５が設けられている。具体的には、雌形レール２３は、ハウジング１２１下部の左右両側の周縁部分から左右で対をなす内向凸条部２４が設けられることによる。この内向凸条部２４は、電池パック５０のスライド方向で延びている。この雌形レール２３には、雄形レール２５がスライドにより嵌合される。これによって、電池パック５０は、バッテリ装着部２０に対して相対的なスライドがガイドされる。なお、バッテリ装着部２０には、電池パック５０の雄フック部５７が係止可能な雌フック部２７が設けられている。この雌フック部２７は、雄フック部５７を係止させた場合に、雄フック部５７のストッパ部５７２が当接されるストッパ面２７１を有する。
【００３２】
電池パック５０は、概略、ケース５１と、雄フック機構５５と、電池本体６１とを有する。図１に示すように、ケース５１は、下側ケース５２と上側ケース５３とが合体されることにより設定される。下側ケース５２は、電池本体６１を収容可能な上部を開口した箱形に形成される。これに対し、上側ケース５３は、下側ケース５２の上部の開口を閉塞させる蓋形に形成される。下側ケース５２と上側ケース５３とは、螺子部材６０の螺子締結により一体にされてケース５１をなす。このように形成されるケース５１には、図３に示すように、雄フック機構５５および電池本体６１が収容される。
【００３３】
上側ケース５３には、図１に示すように、雄形レール２５が設けられている。雄形レール２５は、上側ケース５３の上部の左右両側の周縁部分から左右で対をなす外向凸条部２６が設けられることによる。この雄形レール２５は、上記したバッテリ装着部２０の雌形レール２３にスライドにより嵌合可能になっており、スライドされる方向に延びて形成される。つまり、電池パック５０の雄形レール２５をバッテリ装着部２０の雌形レール２３にスライドさせて嵌合させることにより、電池パック５０のバッテリ装着部２０に対して装着および取外しを行うスライドがガイドされることとなる。
【００３４】
上側ケース５３には、図３に示すように、グランド端子６５、放電端子６６、充電端子６７、通信端子６８を、スライドさせることにより接続可能とする開口スリット５４１が３つ設けられる。グランド端子６５および放電端子６６は、工具本体１１のグランド用雄端子３４１および放電用雄端子３４２に接続される電源端子である。つまり、グランド端子６５および放電端子６６は、電池パック５０から工具本体１１に電力を送るための電池パック５０側の端子となっている。これに対し、通信端子６８は、工具本体１１の通信用雄形端子（雄形端子４９）に接続される信号端子である。通信端子６８は、電池パック５０と工具本体１１との間で信号を送受するための電池パック５０側の端子となっている。なお、この通信端子６８は信号端子である。このため、この通信端子６８に印加される電圧は、信号レベルに低い電圧となっている。ちなみに、この通信端子６８では、概ね５Ｖ以下となる例えば３．３Ｖの電圧が印加されて、信号の送受がされるものとなっている。
【００３５】
また、上側ケース５３には、スライドさせることにより電池パック５０の通信コネクタ６９を接続可能とするコネクタ開口部５４２が設けられる。また、上側ケース５３には、電池パック５０の雄フック部５７を上側に突き出されるフック用開口部５４５と、電池パック５０の押下レバー部５８を操作可能に外部に露出させるレバー用開口部５４６とが設けられている。なお、この通信コネクタ６９は、後に説明する専用充電器のコネクタ接続部と接続可能に設定される。
【００３６】
雄フック機構５５は、バッテリ装着部２０に電池パック５０をスライドさせて装着した場合に、バッテリ装着部２０と電池パック５０との相対関係を固定するロック機構となっている。雄フック機構５５は、図５および図６に示すように、雄フック体５６と、付勢ばね５９とを有する。雄フック体５６は、ケース５１に支持されながら上下で動かすことができる。雄フック体５６の上部には雄フック部５７が設けられており、雄フック体５６の後部には押下レバー部５８が設けられている。
【００３７】
雄フック部５７は、上側ケース５３のフック用開口部５４５から上側に突き出されるフック形状を有する。押下レバー部５８は、上側ケース５３のレバー用開口部５４６から外部に操作可能に露出される押下レバー形状を有する。付勢ばね５９は、雄フック体５６を上側に付勢するコイルばねとなっており、押下レバー部５８にて押し下げるにあたっては、付勢ばね５９による上側の付勢力に抗したものとなっている。
【００３８】
雄フック部５７は、前面に設けられるテーパ部５７１と、後面に設けられるストッパ部５７２とを有する。テーパ部５７１は、後側から前側に向かうに従って上側に傾斜していく面形状を有する。テーパ部５７１は、バッテリ装着部２０に電池パック５０をスライドさせて装着させるに際し、バッテリ装着部２０の後側端縁２７３に当たる。このため、電池パック５０をバッテリ装着部２０に対して装着方向に進ませると、テーパ部５７１を含む雄フック体５６は、付勢ばね５９の付勢力に抗して下側に押し下げられる。つまり、雄フック部５７の頂点５７５は押し下がる。やがて、雄フック部５７の頂点５７５がバッテリ装着部２０の後側端縁２７３を乗り越えると、付勢ばね５９の付勢力により電池パック５０の雄フック部５７は、バッテリ装着部２０の雌フック部２７に収まる。この際、バッテリ装着部２０に対する電池パック５０のスライドは完了して装着されたものとなる。つまり、これら雄フック部５７と雌フック部２７は、電池パック５０と工具本体１１との間に設けられる係止構造であり、この係止構造の係止される状態が電池パック５０と工具本体１１とがスライドが完了された状態となる。
【００３９】
図６に示すように、雌フック部２７に収まった雄フック部５７は、ストッパ部５７２が雌フック部２７のストッパ面２７１と対面することとなる。ここで、ストッパ部５７２がストッパ面２７１に対面する方向は、電池パック５０がバッテリ装着部２０から取り外される方向と一致している。このため、ストッパ面２７１に対してのストッパ部５７２の当接により、バッテリ装着部２０に対する電池パック５０の取外し方向（前方向）の動きは規制され、バッテリ装着部２０との相対関係が固定された状態（ロック状態）となる。
【００４０】
これに対し、付勢ばね５９の付勢力に抗して押下レバー部５８により雄フック体５６が押し下げられると、雄フック部５７はバッテリ装着部２０の雌フック部２７から外されることとなる。つまり、バッテリ装着部２０に対する電池パック５０の動きの規制は解除されて、外し方向に電池パック５０をスライドさせることにより、バッテリ装着部２０から電池パック５０を取り外すことができる。
【００４１】
ところで、電池本体６１は、概略、電池部６２と、制御部６３とを有する。電池部６２は、電池セル（図示符号省略）と、これら電池セルを保持するホルダ（図示符号省略）とを有する。電池セルの電極には、図示省略されるリード板が取り付けられる。リード板は、制御部６３の回路基板６４と電気的に接続される。制御部６３は、各種の制御処理を行う回路基板６４を有する。回路基板６４には、図示省略されるマイコンが設けられる。マイコンは、電池セルの状態を監視して電池セルの充放電に関する制御を行う。なお、このような回路基板６４にあっては、電池セルの充放電を制御するマイコンが搭載されずに構成されるものであってもよい。
【００４２】
ここで、回路基板６４の上面には、上記したような、グランド端子６５、放電端子６６、充電端子６７、通信端子６８、通信コネクタ６９が取り付けられている。グランド端子６５は、工具本体１１および専用充電器９０に対してマイナス側の端子と接続される。放電端子６６は、工具本体１１に対してプラス側の端子と接続される。また、充電端子６７は、専用充電器９０に対する充電側の端子と接続される。また、通信端子６８は、工具本体１１に対する通信側の端子と接続される。また、通信コネクタ６９は、専用充電器９０に対する通信側のコネクタと接続される。なお、通信端子６８や通信コネクタ６９を通じて送受信される信号は、回路基板６４の制御処理に基づく。
【００４３】
ここで、グランド端子６５および放電端子６６が、本発明に係る雌端子として設定される。グランド端子６５および放電端子６６は、上記した雄形レール２５の内側に設けられる。グランド端子６５および放電端子６６の両者は、スライドさせる方向に沿って雌形をなすように設定される。なお、グランド端子６５および放電端子６６の両者は、スライド方向に沿って延びる電池パック５０の中心軸線Ｘに対して左右対称となる位置に設定される。後に説明するが、このようなグランド端子６５および放電端子６６は、電池パック５０を工具本体１１に対して相対的にスライドさせることにより、バッテリ装着部２０に設けられる雄端子３４と電気的に接続される。
【００４４】
グランド端子６５と放電端子６６とは、同一の雌端子７０が回路基板６４に取り付けられて設定される。この雌端子７０は、電池パック５０の雄端子３４と電気的に接続される雌形に設定される。雌端子７０には、後に説明する板形の雄端子３４を左右両側から挟み込むように接触する雌形をなしている。つまり、雌端子７０は、左右で対をなすように、左右対称構造を有して形成される。このため、以下では対をなす片側を挙げて説明する。すなわち、図７の拡大側面図は、図６の挿し込み箇所（雄端子３４、雌端子７０）を拡大して示している。
【００４５】
雌端子７０は、前後に分離された２箇所で電気的接点が設けられるように形成される。雌端子７０は、図７に示すように、一体に連接される支持座部７１と支持架部７３と端子部７５とを有して形成される。支持座部７１は、回路基板６４に接着させる座として設定される。支持座部７１は、前後に延びる長板形状を有して形成される。支持座部７１の左右両側の周縁からは、上側に突き出されるように支持架部７３が設けられている。支持架部７３は、前側架部７３１と後側架部７３２とに支持座部７１から分離されて設けられている。ここで、前側架部７３１と後側架部７３２とのそれぞれの上部には、端子部７５が設けられる。前側架部７３１と後側架部７３２とのそれぞれは、下部にて連接される支持座部７１から支持され、且つ上部にて連接される端子部７５を支持する。これら前側架部７３１と後側架部７３２とのそれぞれは、双方共に同一の形状を有して形成される。
【００４６】
前側架部７３１の上部には前側端子部７５１が設けられる。また、後側架部７３２の上部にも後側端子部７５２が設けられる。これら前側端子部７５１と後側端子部７５２とのそれぞれは、双方共に同一の形状を有して形成される。すなわち、前側端子部７５１と後側端子部７５２とのそれぞれは、左右で対をなす左右対称の形状を有して形成される。このため、前側端子部７５１と後側端子部７５２とのそれぞれは、互いに雄端子３４を挟み込むように当接する。端子部７５（前側端子部７５１，後側端子部７５２）は、支持架部７３から弾性変形可能な板ばねが前側に延ばされるように形成される。すなわち、端子部７５（前側端子部７５１，後側端子部７５２）は、前側に向かうに従って対をなす左右から互いに向かい合う内側に傾斜するように形成されている。つまり、端子部７５は、前端近くで左右から互いに接するまで、前側に向かうに従って対をなす左右から互いの間の距離が狭まるように形成される。
【００４７】
この端子部７５は、前側に向けて突き出された板ばね形に形成され、ばね性を有して雄端子に３１を挟み込む。つまり、左右で対をなす端子部７５は、適宜に弾性を有して雄端子３４を挟み込むことができる。このように雌端子７０は、雄端子３４が内部にスライド方向で挿し込まれる挟込形に設定されており、内部に挿し込まれた雄端子３４に弾性を有しながら当接する。加えて、この前側端子部７５１および後側端子部７５２のそれぞれは、雄端子３４に対して上下の２段にて分割されて接点７７が設定される。すなわち、前側端子部７５１および後側端子部７５２のそれぞれは、前後方向に延びるスリット７６が入れられて上下の２段に分割されている。このように雌端子７０に挿し込まれる雄端子３４は、合計４つの接点７７で通電される。
【００４８】
上記した雌端子７０がグランド端子６５および放電端子６６を構成するのに対し、充電端子６７も雌形端子８０ａで構成され、通信端子６８も雌形端子８０ｂで構成される。この充電端子６７をなす雌形端子８０ａは、後に説明する専用充電器９０の雄形端子４９Ｂ（図２４参照）と電気的に接続される端子である。これに対し、通信端子６８をなす雌形端子８０ｂは、バッテリ装着部２０の雄形端子４９と電気的に接続される端子である。なお、充電端子６７および通信端子６８をなす雌形端子８０ａ，８０ｂは、互いに向き合う同一形状を有している。これら雌形端子８０ａ，８０ｂも、図９に示すように、支持座部８１ａ，８１ｂと支持架部８２ａ，８２ｂと端子部８３ａ，８３ｂとを有する。つまり、これらの雌形端子８０ａ，８０ｂも、挟み込んだ雄形端子との間に接点が確保される雌端子の形式で形成されている。
【００４９】
次に、バッテリ装着部２０に設けられる雄端子３４について説明する。雄端子３４は、上記した雌端子７０の内部に挿し込まれることにより雌端子７０と電気的に接続される。この雄端子３４は、図８に示す雄端子部材３１の一部として設定される。すなわち、図８の斜視図は、雄端子部材３１および電池パック５０を斜視にて示している。図８に示すように、雄端子部材３１は、工具本体１１に取り付けられてバッテリ装着部２０の一部として構成される部材である。この雄端子部材３１は、台座３２と雄端子３４とを有する。台座３２は、樹脂製の略平板形状にて形成される。なお、この台座３２には、バッテリ装着部２０の一部をなすための適宜の構成が設けられている。この台座３２の下面には、スライド方向となる前後方向に沿って延びる雄端子３４が２つ設けられている。
【００５０】
雌端子７０に対する雄端子３４の挿し込みは、図９〜図１１にて詳しく図示される。すなわち、図９の平面図は雄端子３４のスライド開始段階を示しており、図１０の平面図は雄端子３４のスライド途中段階を示しており、図１１の平面図は雄端子３４のスライド完了段階を示している。なお、図９〜図１１では、雌端子７０に対する雄端子３４の挿し込みが分かり易くなるように、雄端子３４、雄形端子４９、雌端子７０、雌形端子８０ａ，８０ｂ、回路基板６４以外の図示を省略している。ここで、右側配置の雄端子３４は、グランド端子６５に接続されるグランド用雄端子３４１である。また、左側配置の雄端子３４は、放電端子６６に接続される放電用雄端子３４２である。つまり、この雌雄接続構造３０は、電源の正負に対応して対をなして設けられている。これらグランド用雄端子３４１と放電用雄端子３４２との両者は、図９〜図１１に示すように、中心軸線Ｘに対して左右対称となる形状を有して構成されると共に、中心軸線Ｘに対して左右対称となる位置にバッテリ装着部２０において設定されている。
【００５１】
この雄端子３４自体は、図１２〜図１４にて詳しく図示される。なお、図１２の拡大上面図は、グランド用雄端子３４１を構成する雄端子３４を上面視にて拡大して示している。図１３の拡大側面図は、グランド用雄端子３４１を構成する雄端子３４を側面視にて拡大して示している。図１４の拡大上面図は、図１２に示す凹凸部４３を更に拡大して示している。雄端子３４は、雌端子７０の内部に挿し込み可能な剛性を有する長板が適宜に折曲されて形成される。この雄端子３４は、機能的に区分けして、取付部３５と端子部３６とを有する。取付部３５は、上記した台座３２に取り付けられる部分として設定される。この取付部３５は、工具本体１１に内装されるコントローラに電気的に接続される。端子部３６は、雌端子７０に挿し込まれる部分として設定される。この端子部３６は、スライド方向となる前後方向に延びる長板形にて形成される。
【００５２】
この端子部３６の両側の側面３７は、スライド方向となる前後方向に延びて連なる。この両側の側面３７は、電池パック５０をスライドさせる際に雌端子７０の接点７７が摺接される範囲を有する。ここで、この側面３７のうち接点７７が摺接される範囲の面が、摺接面３８として設定される。この摺接面３８も、当然にスライド方向に延びている。この摺接面３８には、２つの平面接続部４０が設けられている。平面接続部４０は、スライドが完了して装着された雌端子７０の接点７７が当接される面である。具体的には、平面接続部４０は、スライド方向に平らに延びて連なる面形状を有して形成される。この平面接続部４０は、スライドが完了した後の雌端子７０の接点７７が当接される部分であり、雌端子７０と雄端子３４との互いの電気的な接続が確保される。なお、このスライドの完了は、雄フック部５７がバッテリ装着部２０の後側端縁２７３を乗り越えて雌フック部２７に収まっている状態である。
【００５３】
ここで、上記した雌端子７０の接点７７は、前側端子部７５１と後側端子部７５２との双方に設けられている。このため、雌端子７０の接点７７が当接される平面接続部４０についても、前後でずらされる２つの範囲に設定される。具体的には、図１３に示すように、摺接面３８の前側の平滑面範囲３９１が前側平面接続部４０１として設定され、摺接面３８の後側の平滑面範囲３９２が後側平面接続部４０２として設定される。この前側平面接続部４０１は前側端子部７５１の接点７７が当接される部分であり、後側平面接続部４０２は後側端子部７５２の接点７７が当接される部分である。これらの前側平面接続部４０１と後側平面接続部４０２とは、スライド方向に滑らかに延びる平滑面にて設定される。つまり、前側平面接続部４０１には、前側端子部７５１の上下２段の接点７７が、弾性を有して前側平面接続部４０１を挟み込んで当接して電気的に接続される。また、後側平面接続部４０２には、後側端子部７５２の上下２段の接点７７が、弾性を有して後側平面接続部４０２を挟み込んで当接して電気的に接続される。
【００５４】
ところで、摺接面３８には、２つの凹凸部４３が設けられている。すなわち、前側平面接続部４０１の前側に前側凹凸部４３１が設けられている。また、後側平面接続部４０２の前側に後側凹凸部４３２が設けられている。これらの前側凹凸部４３１と後側凹凸部４３２とは、摺接面３８における配設箇所は前後に相違しているが、その配設形状は互いに同一に設定されている。これらの凹凸部４３（前側凹凸部４３１、後側凹凸部４３２）は、上下方向に延ばされる凹条４１が、複数本で前後方向に並べられて形成される。この凹条４１は、本発明に係る段差設定部に相当する。すなわち、凹条４１は、端子部３６の板厚方向に向かって凹まさせて陥没される凹形の形状により、平面接続部４０との間に段差４４を設定する。
【００５５】
凹条４１は、摺接面３８において、複数本となる４本が前後方向で並列して設けられている。このため、凹凸部４３は、上下に延びる４本の凹条４１と、その４本の凹条４１の間にて設定され且つ上下に延びる３本の凸条４２とを有して設定される。このように段差４４を設定する凹条４１は、スライド方向（図示前後方向）と交差する方向に延びる線条形状として摺接面３８に設定される。また、前側平面接続部４０１と後側平面接続部４０２とは、スライド方向で間隔が置かれた複数となる２つにて設定されている。言い換えれば、前側凹凸部４３１と後側凹凸部４３２とも、スライド方向で間隔が置かれた複数となる２つに設定されている。
【００５６】
このような前側凹凸部４３１と後側凹凸部４３２とは、グランド用雄端子３４１と放電用雄端子３４２との両者に対して同様の位置にそれぞれ設けられている。このため、グランド用雄端子３４１および放電用雄端子３４２の雌端子７０（グランド端子６５、放電端子６６）の接点７７に対する摺接は、左右均等で負荷がかかる摺接となっている。すなわち、グランド用雄端子３４１および放電用雄端子３４２の、前側平面接続部４０１および後側平面接続部４０２に対する摺接は、電池パック５０をスライドさせている際に同時にされるように設定されている。
【００５７】
雄形端子４９は、上記した雌形端子８０ｂに挿し込まれる雌端子の形式で形成されている。つまり、雄形端子４９も、本発明に係る信号端子に相当する。この雄形端子４９も、雄端子３４と同様の取付部４９１と端子部４９２とを有する。また、この雄形端子４９は、充電端子６７の雌形端子８０ａとは接続されずに、通信端子６８の雌形端子８０ｂのみと接続されるように構成される。具体的には、雄形端子４９は、板形を一部切り欠くように設定される切欠き部４９３が設けられている（図示符号４９３）。この切欠き部４９３は、装着完了した際の雌形端子８０ａと接しないように、装着完了した際の雌形端子８０ａと接触する範囲が切り欠かれるようにして設定されている。なお、この雄形端子４９の前後長は、雄端子３４の端子部３６よりも短く設定されている。ここで、この雄形端子４９には、上記した凹凸部４３が設けられていない。
【００５８】
上記したように構成される電池パック５０と工具本体１１との間に設けられる雌雄接続構造３０にあっては、次のような作用効果を奏することができる。すなわち、上記した電池パック５０と工具本体１１との間に設けられる雌雄接続構造３０によれば、雄端子３４の端子部３６の摺接面３８には凹条４１により板形の板厚方向に向かって段差４４が設定されている。この段差４４が複数設定されることにより凹凸部４３が設定されている。この摺接面３８は、スライドさせている際に雌端子７０の接点７７が摺接される範囲である。このため、凹凸部４３の凹凸により雌端子７０の端子部７５（特に接点７７）の表面に生成される酸化膜を削り取るように除去することができる。これによって、上記した雌雄接続構造３０によれば、ユーザの工具管理負担を増やすことなく端子部３６の表面に生成される酸化膜を除去して、長くに亘って雌端子７０と雄端子３４の端子部３６との間の電気的接続を良好に保つことができる。
【００５９】
また、上記した電池パック５０と工具本体１１との間に設けられる雌雄接続構造３０によれば、電池パック５０と工具本体１１との間で構成されているので、インパクトドライバ１０においてユーザの工具管理負担を増やすことなく端子部３６の表面に生成される酸化膜を除去して、長くに亘って雌端子７０と雄端子３４の端子部３６との間の電気的接続を良好に保つことができる。また、上記した電池パック５０と工具本体１１との間に設けられる雌雄接続構造３０によれば、上記した雌雄接続構造３０によれば、スライドが完了した後の雌端子７０が平面で当接して電気的に接続される平面接続部４０が設定されるので、雌端子７０と雄端子３４の端子部３６との互いが接する部分には段差４４が設けられないこととなる。これによって、雌端子７０と雄端子３４の端子部３６との電気的な接触を良好にして電気的な接続を良好なものとすることができる。
【００６０】
また、上記した電池パック５０と工具本体１１との間に設けられる雌雄接続構造３０によれば、凹条４１は平面接続部４０よりも板厚が陥没される凹形の形状により段差４４を設定するので、凹形の形状により設定される段差４４により端子部３６の表面に生成される酸化膜を削るようにして除去することができる。また、上記した電池パック５０と工具本体１１との間に設けられる雌雄接続構造３０によれば、凹条４１による段差４４はスライド方向（図示前後方向）と交差する直交方向に延びる線条形状を有するので、この交差する方向に延びる線条形状がスライドする動きを受けて、端子部３６の表面に生成される酸化膜を除去することができる。
【００６１】
また、上記した電池パック５０と工具本体１１との間に設けられる雌雄接続構造３０によれば、雌端子７０の接点７７は、スライド方向で間隔を置いて設けられる前側端子部７５１および後側端子部７５２の２つに対して設定される。また、平面接続部４０は、摺接面３８における前後の平滑面範囲３９１，３９２のそれぞれによる、前側平面接続部４０１および後側平面接続部４０２の２つにて設定される。つまり、平面接続部４０は、２つの雌端子７０に対応してスライド方向で間隔を置いて設けられる前側平面接続部４０１および後側平面接続部４０２の２つに設定される。これによって、雌端子７０と雄端子３４の端子部３６との電気的接点をより確実に確保することができて、雌端子７０と雄端子３４との互いの電気的な接続を良好にすることができる。なお、雌端子７０の接点７７に対応してスライド方向で間隔を置いて設けられる平面接続部４０は、上記した凹条４１の設定により互いに分断されて設定されるものや、また凹条４１を設定せずに互いに連なって設定されるものの、いずれの設定であってもよい。
【００６２】
また、上記した電池パック５０と工具本体１１との間に設けられる雌雄接続構造３０によれば、雌雄接続構造３０は電源の正負に対応して対をなして２つ設けられており、対をなす凹条４１と雌端子７０の接点７７との摺接は、電池パック５０をスライドさせている際に同時にされることとなる。これによって、電池パック５０をスライド完了するにあたって、段差４４箇所を越える際の電池パック５０のスライド抵抗を、対の並びでバランス良く受けることができる。したがって、工具本体１１に対して電池パック５０を相対的にスライドさせるにあたってのスライド抵抗を対の並びでバランス良く受けることができ、電池パック５０のスライド姿勢を良好に保つことができてスライド時の操作性を高めることができる。また、上記した電池パック５０と工具本体１１との間に設けられる雌雄接続構造３０によれば、グランド用雄端子３４１と放電用雄端子３４２の酸化膜を好ましく除去することができながら、信号端子をなす雄形端子４９には凹凸部４３は設けられていない。これによって、着脱抵抗となり得る不要な凹凸形状を雄形端子４９から無くすことができて、電池パック５０の工具本体１１に対する着脱のし易さを良好にできる。
【００６３】
［第２の実施の形態］
次に、上記した第１の実施の形態における凹凸部４３とは相違するように構成される各種の実施の形態について説明する。なお、以下に説明する各種の実施の形態は、端子部３６の摺接面３８に設けられる凹凸部４３の構成のみが相違する。このため、以下に説明する実施の形態では、上記した第１の実施の形態と同一に構成される部分については、上記した第１の実施の形態にて付した符号と同一の符号を図面に付して説明を省略するものとする。また、以下で説明する実施の形態では、上記した第１の実施の形態と同様に機能しつつ相違するように構成される部分については、上記した第１の実施の形態にて付した符号の末尾にアルファベットを追加した符号を図面に付して説明するものとする。
【００６４】
図１５の拡大上面図は、第２の実施の形態となる雄端子３４Ａを示している。図１６の拡大上面図は、第２の実施の形態となる雄端子３４Ａを示している。図１５は図１２と同じように視た雄端子３４Ａを示しており、図１６は図１３と同じように視た雄端子３４Ａを示している。この第２の実施の形態の雄端子３４Ａにあっても、上記した第１の実施の形態と同様、摺接面３８に２つの凹凸部４３Ａが設けられている。この第２の実施の形態の凹凸部４３Ａにあっても、上記した実施の形態と同様、前側平面接続部４０１の前側に前側凹凸部４３１Ａが設けられており、後側平面接続部４０２の前側に後側凹凸部４３２Ａが設けられている。
【００６５】
これらの前側凹凸部４３１Ａと後側凹凸部４３２Ａとは、摺接面３８に配設される形状としては互いに同一の形状にて形成される。これらの凹凸部４３Ａ（前側凹凸部４３１Ａ、後側凹凸部４３２Ａ）は、上下方向に延ばされる凹条４１Ａが、複数本で前後方向に並べられて形成される。この凹条４１Ａは、下側に向かうに連れて後側に傾くように傾斜されるように延びている。この凹条４１Ａも、本発明に係る段差設定部に相当する。すなわち、この凹条４１Ａも、上記した実施の形態と同様、摺接面３８が設定される端子部３６の板厚方向に向かって凹まさせて段差４４を設定する。つまり、この凹条４１Ａも、平面接続部４０よりも板厚が陥没される凹形に設けられることにより段差４４を設定する。
【００６６】
この第２の実施の形態の凹条４１Ａは、上記した第１の実施の形態の凹条４１と比較して前後方向に傾斜している点で相違する。すなわち、第２の実施の形態の凹条４１Ａは、スライド方向（図示前後方向）と交差する方向に延びる線条形状として摺接面３８に設定される上、同時にスライド方向と直交する方向（図示上下方向）にも交差する方向に延びる線条形状として摺接面３８に設定される。なお、この第２の実施の形態の凹条４１Ａも、上記した第１の実施の形態の凹条４１と同様に、直線状に延びる線条形状にて設定され、この第２の実施の形態にて設定される凹条４１Ａの範囲も、上記した第１の実施の形態の凹状４１の範囲と同様に摺接面３８に設定される。さらに、この第２の実施の形態の前側平面接続部４０１および後側平面接続部４０２も、上記した第１の実施の形態と同様に摺接面３８の前後の平滑面範囲３９１，３９２として設定される。
【００６７】
この第２の実施の形態のように、凹条４１Ａを設けて前側凹凸部４３１Ａ（４３Ａ）と後側凹凸部４３２Ａ（４３Ａ）とを設定した場合には、線条形状はスライド方向と直交する方向（図示上下方向）にも交差するので、この交差する方向に延びる線条形状がスライドする動きを受け、凹凸部４３Ａの凹内部に存する酸化膜の屑をスライド方向と交差する方向に動かしていくことができる。これによって、この線条形状から除去された酸化膜の屑を排出させるように作用させることができる。
【００６８】
［第３の実施の形態］
ところで、本発明に係る段差設定部としては、上記した第１の実施の形態および第２の実施の形態の例に限定されることなく、板形の板厚方向に向かって段差を設定する構成であれば、適宜の構成を採用することができる。すなわち、本発明に係る段差設定部としては、上記した平面接続部４０よりも板厚突出側に凸形に設けられることにより段差を設定するものであってもよい。図１７の拡大上面図は、第３の実施の形態となる雄端子３４Ｂを示している。図１８の拡大側面図は、第３の実施の形態となる雄端子３４Ｂを示している。なお、図１７は図１２と同じように視た雄端子３４Ｂを示しており、図１８は図１３と同じように視た雄端子３４Ｂを示している。図１９の拡大上面図は、図１７に示す凹凸部４３Ｂを更に拡大して示している。
【００６９】
この第３の実施の形態の雄端子３４Ｂにあっても、上記した第１の実施の形態と同様、摺接面３８に２つの凹凸部４３Ｂが設けられている。この第３の実施の形態の凹凸部４３Ｂにあっても、上記した実施の形態と同様、前側平面接続部４０１の前側に前側凹凸部４３１Ｂが設けられており、後側平面接続部４０２の前側に後側凹凸部４３２Ｂが設けられている。これらの前側凹凸部４３１Ｂと後側凹凸部４３２Ｂとは、摺接面３８における配設箇所は前後に相違しているが、その配設形状は互いに同一に設定されている。これらの凹凸部４３Ｂ（前側凹凸部４３１Ｂ、後側凹凸部４３２Ｂ）は、上下方向に延ばされる凸条４２Ｂが、複数本で前後方向に並べられて形成される。この凸条４２Ｂは、本発明に係る段差設定部に相当する。すなわち、凸条４２Ｂは、端子部３６の板厚方向に向かって突出される凸形の形状により、平面接続部４０との間に段差４４Ｂを設定する。
【００７０】
凸条４２Ｂは、摺接面３８において、複数本となる４本が前後方向で並列して設けられている。このため、凹凸部４３Ｂは、上下に延びる４本の凸条４２Ｂと、その４本の凸条４２Ｂの間にて設定され且つ上下に延びる３本の凹条４１Ｂとを有して設定される。このように段差４４Ｂを設定する凸条４２Ｂは、スライド方向（図示前後方向）と交差する方向に延びる線条形状として摺接面３８に設定される。なお、この第３の実施の形態のように段差４４Ｂを設定した場合でも、上記した実施の形態と同様、凸形の形状により設定された段差４４Ｂにより、端子部３６の表面に生成される酸化膜を除去することができる。つまり、ユーザの工具管理負担を増やすことなく端子部３６の表面に生成される酸化膜を除去して、雌端子７０と雄端子３４の端子部３６との間の電気的接続を長くに亘って良好に保つことができる。
【００７１】
［第４の実施の形態］
また、本発明に係る段差設定部としては、雄端子３４の摺接面３８を板厚方向で貫通させる貫通孔を複数設けることにより構成されるものであってもよい。すなわち、図２０の拡大上面図は、第４の実施の形態となる雄端子３４Ｃを示している。図２１の拡大側面図は、第４の実施の形態となる雄端子３４Ｃを示している。図２２の拡大断面図は、図２１における(XXII)-(XXII)断面矢視を拡大して示している。この第４の実施の形態の凹凸部４３Ｃにあっても、上記した実施の形態と同様、前側平面接続部４０１の前側に前側凹凸部４３１Ｃが設けられており、後側平面接続部４０２の前側に後側凹凸部４３２Ｃが設けられている。この第４の実施の形態の凹凸部４３Ｃは、板厚方向で貫通される長孔４１Ｃが２つ並べられることにより設定される。つまり、この長孔４１Ｃが、本発明に係る段差設定部に相当する。この長孔４１Ｃは上下に延びる長孔形をなしている。つまり、長孔４１Ｃは、端子部３６の板厚方向に向かって貫通される長孔形状により、平面接続部４０との間に段差４４Ｃを設定する。
【００７２】
長孔４１Ｃは、摺接面３８において、複数本となる２本が前後方向で並列して設けられている。このように段差４４Ｃを設定する長孔４１Ｃは、スライド方向（図示前後方向）と交差する方向に延びる線条形状として摺接面３８に設定される。なお、この第４の実施の形態のように段差４４Ｃを設定した場合でも、上記した実施の形態と同様、長孔の形状により設定された段差４４Ｃにより、端子部３６の表面に生成される酸化膜を除去することができる。つまり、ユーザの工具管理負担を増やすことなく端子部３６の表面に生成される酸化膜を除去して、雌端子７０と雄端子３４Ｃの端子部３６との間の電気的接続を長くに亘って良好に保つことができる。
【００７３】
なお、本発明に係る段差設定部としては、上記した長孔４１Ｃのように板厚方向で貫通されずに、単に凹まされているだけの状態でもよい。すなわち、図２３の拡大断面図は、図２２の変形例として図示している。図２３に示す凹凸部４３Ｄ（４３２Ｄ）にあっては、上記した長孔４１Ｃにより設定される凹凸部４３Ｃとは、板厚方向で貫通していない点だけが相違しており、上下に長く窪んでいる形状については一致している。この第４の実施の形態の凹凸部４３Ｄは、板厚方向で陥没される長凹部４１Ｄが２つ並べられることにより設定される。つまり、この長凹部４１Ｄが、本発明に係る段差設定部に相当する。この長凹部４１Ｄは上下に延びる上下に長い凹み形状をなしている。つまり、長凹部４１Ｄは、端子部３６の板厚方向に向かって凹まされる貫通される上下に長い凹み形状により、平面接続部４０との間に段差４４Ｄを設定することとなる。なお、このように段差設定部を構成した場合であっても、段差４４Ｄに設定される凹凸形状により端子部の表面に生成される酸化膜を削り取るように除去することができる。
【００７４】
図示を省略するが、本発明に係る段差設定部としては、雄端子３４の摺接面３８に適宜のシボ加工（突起加工）がされるものであってもよい。また、本発明に係る段差設定部としては、雄端子３４の摺接面３８に適宜のディンプルが複数設けられるものであってもよい。なお、このように段差設定部を構成した場合であっても、段差により設定される凹凸形状により端子部の表面に生成される酸化膜を削り取るように除去することができる。
【００７５】
また、下記に例示される専用充電器９０やバッテリアダプタ９５においても、上記した雌雄接続構造３０を採用することができる。すなわち、図２４の斜視図は、専用充電器９０を斜視にて示している。図示される専用充電器９０は、本発明に係る電気機器に相当する。この専用充電器９０は、電動工具の電源として利用される電池パック５０を充電するためのものである。ここで、上記した雌雄接続構造３０は、電池パック５０と専用充電器９０との間に設けられている。つまり、専用充電器９０にも、上記した工具本体１１に設けられたバッテリ装着部２０と略同様のバッテリ装着部９１が設けられる。この専用充電器９０に設定されるバッテリ装着部９１にあっても、雌形のレール構造２１Ｂとなる雌形レール２３Ｂや雌フック部２７Ｂが設けられている。また、このバッテリ装着部９１にあっても、上記した実施の形態と同様、雄端子３４Ｂの端子部３６Ｂと雄形端子４９Ｂとが設けられている。つまり、第１の実施の形態にて説明した部材の符号の末尾にアルファベットの‘Ｂ’を追加した符号を図面に記載して、その説明するものとする。このように専用充電器９０を構成した場合には、上記した雌雄接続構造３０によって奏することができる有利な効果を、電池パック５０と専用充電器９０との間においても享受することができる。
【００７６】
また、図２５の斜視図は、バッテリアダプタ９５を斜視にて示している。図示されるバッテリアダプタ９５も、本発明に係る電気機器に相当する。このバッテリアダプタ９５は、電池パック５０を同時に２つ装着させて電源として利用されるためのものである。つまり、このバッテリアダプタ９５は、電池パック５０と工具本体１１の間に介在されるアダプタとなっている。このため、上記した雌雄接続構造３０は、電池パック５０とバッテリアダプタ９５との間に設けられていると共に、バッテリアダプタ９５と工具本体１１との間にも設けられている。具体的には、バッテリアダプタ９５の下面側には、２つバッテリ装着部２０Ｂが並列して設けられている。これにより、このバッテリアダプタ９５には、電池パック５０を２つ装着させることができるようになっている。
【００７７】
また、バッテリアダプタ９５の上面側には、このバッテリアダプタ９５を工具本体１１のバッテリ装着部２０に装着させるための構造が設けられている。具体的には、バッテリ装着部２０に装着させるための電池パック５０の装着構造を模した構造が設けられている。このため、第１の実施の形態にて説明した部材の符号の末尾にアルファベットの‘Ｃ’を追加した符号を図面に記載して、その説明するものとする。このようにバッテリアダプタ９５を構成した場合には、上記した雌雄接続構造３０によって奏することができる有利な効果を、電池パック５０とバッテリアダプタ９５との間においても享受することができる。
【００７８】
なお、本発明に係る雌雄接続構造にあっては、上記した実施の形態に限定されるものではなく、適宜の実施の形態に応用することができる。すなわち、上記した第１の実施の形態および第２の実施の形態の雌雄接続構造３０にあっては、電池パック５０と工具本体１１との間に設けられるものとなっていた。しかしながら、本発明に係る雌雄接続構造としては、電源として電動工具用電池パックが利用されるような電動工具および電動作業機に関する技術分野において応用することができ、互いの接続構造が上記した雌雄関係により成立するものであればよく、適宜の製品の接続構造に応用して配設することができる。ちなみに、本発明に係る電動工具としては、上記したインパクトドライバのほか、ドライバドリル、ハンマドリル、ジグソー、バンドソー、レシプロソー、ブロワ、ディスクグラインダ、クリーナなど、様々なものが挙げられる。また、本発明に係る電動作業機としては、草刈機、チェーンソー、ヘッジトリマ、生垣バリカン、芝生バリカンなど、様々なものが挙げられる。
【符号の説明】
【００７９】
１０  インパクトドライバ（電動工具）
１１  工具本体
１２１  ハウジング
１２３  螺子部材
１３  駆動部
１３１  モータ
１３３  出力部
１３５  チャック
１３７  冷却ファン
１４  グリップ部
１５  操作スイッチ
１５１  スイッチ本体
１５３  操作トリガ
１５５  切替レバー
２０  バッテリ装着部
２１  レール構造
２３  雌形レール
２４  内向凸条部
２５  雄形レール
２６  外向凸条部
２７  雌フック部
２７１  ストッパ面
２７３  後側端縁
３０  雌雄接続構造
３１  雄端子部材
３２  台座
３４  雄端子
３４１  グランド用雄端子
３４２  放電用雄端子
３５  取付部
３６  端子部
３７  側面
３８  摺接面
４０  平面接続部
４０１  前側平面接続部
４０２  後側平面接続部
４１  凹条（段差設定部）
４２  凸条
４３  凹凸部
４３１  前側凹凸部
４３２  後側凹凸部
４４  段差
４９  雄形端子
５０  電池パック（電動工具用電池パック）
５１  ケース
５２  下側ケース
５３  上側ケース
５４１  開口スリット
５４２  コネクタ開口部
５４５  フック用開口部
５４６  レバー用開口部
５５  雄フック機構
５６  雄フック体
５７  雄フック部
５７１  テーパ部
５７２  ストッパ部
５７５  頂点
５８  押下レバー部
５９  付勢ばね
６０  螺子部材
６１  電池本体
６２  電池部
６３  制御部
６４  回路基板
６５  グランド端子
６６  放電端子
６７  充電端子
６８  通信端子
６９  通信コネクタ
７０  雌端子
７１  支持座部
７３  支持架部
７３１  前側架部
７３２  後側架部
７５  端子部
７５１  前側端子部
７５２  後側端子部
７６  スリット
７７  接点
８０ａ，８０ｂ  雌形端子
８１ａ，８１ｂ  支持座部
８２ａ，８２ｂ  支持架部
８３ａ，８３ｂ  端子部
９０  専用充電器
Ｘ  中心軸線
【図１】
0006480782.tif 000002
【図２】
0006480782.tif 000003
【図３】
0006480782.tif 000004
【図４】
0006480782.tif 000005
【図５】
0006480782.tif 000006
【図６】
0006480782.tif 000007
【図７】
0006480782.tif 000008
【図８】
0006480782.tif 000009
【図９】
0006480782.tif 000010
【図１０】
0006480782.tif 000011
【図１１】
0006480782.tif 000012
【図１２】
0006480782.tif 000013
【図１３】
0006480782.tif 000014
【図１４】
0006480782.tif 000015
【図１５】
0006480782.tif 000016
【図１６】
0006480782.tif 000017
【図１７】
0006480782.tif 000018
【図１８】
0006480782.tif 000019
【図１９】
0006480782.tif 000020
【図２０】
0006480782.tif 000021
【図２１】
0006480782.tif 000022
【図２２】
0006480782.tif 000023
【図２３】
0006480782.tif 000024
【図２４】
0006480782.tif 000025
【図２５】
0006480782.tif 000026